【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
第１パッチと、前記第１パッチとは異なり前記第１パッチと同じ色の第２パッチと、前記第１パッチ及び前記第２パッチとは異なる第３パッチとを紙媒体上に形成する画像形成部と、
前記画像形成部によって前記紙媒体上に形成された前記第１パッチ及び前記第２パッチ及び前記第３パッチのそれぞれの色を読み取る画像読取部と、
前記第１パッチの温度を検知する検知部と、
前記画像読取部による前記第１パッチの読取結果と前記第２パッチの読取結果と前記検知部により検知された前記第１パッチの温度とに基づいて、前記第３パッチの読取結果を補正する補正部と、
を備える、
画像形成システム。
【請求項２】
前記画像形成部は、
前記画像読取部による読取結果と、前記画像読取部による測色結果とに基づき、前記第１パッチの色彩値と、前記第２パッチの色彩値との色差を求める第１演算部と、
前記検知部により検知される前記第１パッチの温度と、前記第１演算部により求められる前記色差と、に基づき、前記紙媒体に生じる温度分布を求める第２演算部と、
を備える、
請求項１に記載の画像形成システム。
【請求項３】
前記画像読取部は、
前記第１パッチの色を読み取る測色計と、
前記第１パッチ及び前記第２パッチのそれぞれの色を読み取るスキャナーと、
を備える、
請求項１又は２に記載の画像形成システム。
【請求項４】
前記測色計は、
特定箇所を読み取るものであり、
前記スキャナーは、
画像形成可能範囲全体を読み取るものである、
請求項３に記載の画像形成システム。
【請求項５】
前記測色計は、
前記第３パッチのうち、特定の列の前記第３パッチを測色するものであり、
前記画像形成部は、
前記画像読取部による前記特定の列の前記第３パッチの測色結果と、前記画像読取部による前記画像形成可能範囲全体にわたる前記第３パッチの読取結果とを関連付ける関連情報とに基づき、前記画像形成可能範囲全体にわたり、前記画像の色彩を形成する、
請求項４に記載の画像形成システム。
【請求項６】
前記第１パッチと、前記第２パッチとは、互いに向かい合い、且つ
前記第２パッチは、前記紙媒体の進行方向及び前記紙媒体の進行方向とは直交する直交方向の少なくとも一方に沿って、複数形成される、
請求項５に記載の画像形成システム。
【請求項７】
前記第１パッチ及び前記第２パッチは、
前記第３パッチに比べ、サーモクロミズム現象の影響度合いの大きい色が割り当てられる、
請求項６に記載の画像形成システム。
【請求項８】
第１パッチと、前記第１パッチとは異なり前記第１パッチと同じ色の第２パッチと、前記第１パッチ及び前記第２パッチとは異なる第３パッチとを紙媒体上に形成する画像形成部によって前記紙媒体上に形成された前記第１パッチ及び前記第２パッチ及び前記第３パッチのそれぞれの色を読み取る画像読取部、
を備える、
画像読取装置。
【請求項９】
第１パッチと、前記第１パッチとは異なり前記第１パッチと同じ色の第２パッチと、前記第１パッチ及び前記第２パッチとは異なる第３パッチとを紙媒体に形成する画像形成部と、
前記第１パッチの温度を検知する検知部と、
前記画像形成部によって前記紙媒体上に形成された前記第１パッチ及び前記第２パッチ及び前記第３パッチのそれぞれの色を読み取る画像読取部による前記第１パッチの読取結果と前記第２パッチの読取結果と前記検知部により検知された前記第１パッチの温度とに基づいて、前記第３パッチの読取結果を補正する補正部と、
を備える、
画像形成装置。
【請求項１０】
前記画像読取部による読取結果と、前記画像読取部による測色結果とに基づき、前記第１パッチの色彩値と、前記第２パッチの色彩値との色差を求める第１演算部と、
前記検知部により検知される前記第１パッチの温度と、前記第１演算部により求められる前記色差と、に基づき、前記紙媒体に生じる温度分布を求める第２演算部と、
をさらに備える、
請求項９に記載の画像形成装置。
【手続補正２】
【補正対象書類名】明細書
【補正対象項目名】００１４
【補正方法】変更
【補正の内容】
【００１４】
上記目的を達成するため、本発明に係る画像形成システムは、第１パッチと、前記第１パッチとは異なり前記第１パッチと同じ色の第２パッチと、前記第１パッチ及び前記第２パッチとは異なる第３パッチとを紙媒体上に形成する画像形成部と、前記画像形成部によって前記紙媒体上に形成された前記第１パッチ及び前記第２パッチ及び前記第３パッチのそれぞれの色を読み取る画像読取部と、前記第１パッチの温度を検知する検知部と、前記画像読取部による前記第１パッチの読取結果と前記第２パッチの読取結果と前記検知部により検知された前記第１パッチの温度とに基づいて、前記第３パッチの読取結果を補正する補正部と、を備えるものである。
また、本発明に係る画像形成システムにおいて、前記画像形成部は、前記画像読取部による読取結果と、前記画像読取部による測色結果とに基づき、前記第１パッチの色彩値と、前記第２パッチの色彩値との色差を求める第１演算部と、前記検知部により検知される前記第１パッチの温度と、前記第１演算部により求められる前記色差と、に基づき、前記紙媒体に生じる温度分布を求める第２演算部と、を備える、ことが好ましい。
また、本発明に係る画像形成システムにおいて、前記画像読取部は、前記第１パッチの色を読み取る測色計と、前記第１パッチ及び前記第２パッチのそれぞれの色を読み取るスキャナーと、を備える、ことが好ましい。
また、本発明に係る画像形成システムにおいて、前記測色計は、特定箇所を読み取るものであり、前記スキャナーは、画像形成可能範囲全体を読み取るものである、ことが好ましい。
【手続補正３】
【補正対象書類名】明細書
【補正対象項目名】００１７
【補正方法】変更
【補正の内容】
【００１７】
また、本発明に係る画像形成システムにおいて、前記測色計は、前記第３パッチのうち、特定の列の前記第３パッチを測色するものであり、前記画像形成部は、前記画像読取部による前記特定の列の前記第３パッチの測色結果と、前記画像読取部による画像形成可能範囲全体にわたる前記第３パッチの読取結果とを関連付ける関連情報とに基づき、前記画像形成可能範囲全体にわたり、前記画像の色彩を形成する、ことが好ましい。
【手続補正４】
【補正対象書類名】明細書
【補正対象項目名】００１８
【補正方法】変更
【補正の内容】
【００１８】
また、本発明に係る画像形成システムにおいて、前記第１パッチと、前記第２パッチとは、互いに向かい合い、且つ前記第２パッチは、前記紙媒体の進行方向及び前記紙媒体の進行方向とは直交する直交方向の少なくとも一方に沿って、複数形成される、ことが好ましい。
【手続補正５】
【補正対象書類名】明細書
【補正対象項目名】００１９
【補正方法】変更
【補正の内容】
【００１９】
また、本発明に係る画像形成システムにおいて、前記第１パッチ及び前記第２パッチは、前記第３パッチに比べ、サーモクロミズム現象の影響度合いの大きい色が割り当てられる、ことが好ましい。
【手続補正６】
【補正対象書類名】明細書
【補正対象項目名】００２０
【補正方法】変更
【補正の内容】
【００２０】
また、上記目的を達成するため、本発明に係る画像読取装置は、第１パッチと、前記第１パッチとは異なり前記第１パッチと同じ色の第２パッチと、前記第１パッチ及び前記第２パッチとは異なる第３パッチとを紙媒体上に形成する画像形成部によって前記紙媒体上に形成された前記第１パッチ及び前記第２パッチ及び前記第３パッチのそれぞれの色を読み取る画像読取部、を備えるものである。
【手続補正７】
【補正対象書類名】明細書
【補正対象項目名】００２２
【補正方法】変更
【補正の内容】
【００２２】
また、上記目的を達成するため、本発明に係る画像形成装置は、第１パッチと、前記第１パッチとは異なり前記第１パッチと同じ色の第２パッチと、前記第１パッチ及び前記第２パッチとは異なる第３パッチとを紙媒体に形成する画像形成部と、前記第１パッチの温度を検知する検知部と、前記画像形成部によって前記紙媒体上に形成された前記第１パッチ及び前記第２パッチ及び前記第３パッチのそれぞれの色を読み取る画像読取部による前記第１パッチの読取結果と前記第２パッチの読取結果と前記検知部により検知された前記第１パッチの温度とに基づいて、前記第３パッチの読取結果を補正する補正部と、
を備えるものである。
また、本発明に係る画像形成装置において、前記画像読取部による読取結果と、前記画像読取部による測色結果とに基づき、前記第１パッチの色彩値と、前記第２パッチの色彩値との色差を求める第１演算部と、前記検知部により検知される前記第１パッチの温度と、前記第１演算部により求められる前記色差と、に基づき、前記紙媒体に生じる温度分布を求める第２演算部と、をさらに備えることが好ましい。